(57)【要約】【課題】衣類に向けて送風した場合に、浴室内の絶対湿度の変化量を検知した場合にその方向に濡れた衣類があると判定し、判定された送風方向に制御する浴室暖房装置を提供することを目的とする。【解決手段】衣類の存在する方向を送風範囲に含むように送風して衣類乾燥を行なうものであって、空気の送風方向を制御する風向可変手段７と、浴室内の絶対湿度を測定する湿度検知手段８と、風向可変手段７を動作させる制御部１０を備え、制御部１０は、前記湿度検知手段８の測定値をもとに前記浴室内の湿度変化を判定する湿度変化判定手段１１を備え、前記風向可変手段７を動作させ風向を変更し前記湿度変化判定手段１１が所定の値以上の湿度上昇を判定した場合に、前期風向可変手段によって送風されている方向には濡れた衣類があると判定する衣類位置検知手段１２を有し、前記衣類位置検知手段１２が判定した方向に送風方向を制御する浴室暖房装置が得られる。【選択図】図１
2014124202.tif 000002
【特許請求の範囲】
【請求項１】
衣類の存在する方向を送風範囲に含むように送風して衣類乾燥を行なうものであって、浴室内の空気を吸い込む吸い込み口と、吸込んだ空気に熱を加える加熱部と、前記加熱部によって加熱した空気を前記浴室内に吹き出す吹出し口と、前記吸い込み口から空気を吸い込んで吹出し口から吹出す循環ファンと、前記吹出し口から吹出される空気の送風方向を制御する風向可変手段と、前記吸い込み口近傍に取り付けられ浴室内の絶対湿度を測定する湿度検知手段と、前記湿度検知手段の測定した絶対湿度に基づいて前記加熱部と循環ファンと風向可変手段の動作をさせる制御部を備え、制御部は、前記湿度検知手段の測定値をもとに前記浴室内の湿度変化を判定する湿度変化判定手段と、前記風向可変手段を動作させ送風方向を変更し、前記湿度変化判定手段が所定の値以上の湿度上昇を判定した場合に、前期風向可変手段によって送風されている方向には濡れた衣類があると判定する衣類位置検知手段と、前記衣類位置検知手段が判定した方向に前記風向可変手段を動作させて送風方向を制御する浴室暖房装置。
【請求項２】
衣類位置検知手段は、風向可変手段の送風方向を少なくとも二方向に設定する風向設定手段と、衣類乾燥運転開始時に前記風向設定手段によって設定された送風方向のすべてに対して風向可変手段を動作させるサーチ動作手段と、前期サーチ動作手段によって動作している送風方向の情報と湿度変化判定手段の結果から濡れた衣類がその送風方向にあるかどうか判定する衣類判定手段と、前記衣類判定手段により濡れた衣類があるかどうか判定し、濡れた衣類があると判定された送風方向を記憶する風向記憶手段を備え、前記風向記憶手段によって記憶された送風方向を送風範囲内に含むよう送風範囲を決定する送風範囲設定手段を有し、前記送風範囲設定手段で設定された送風範囲に送風方向を制御させる浴室暖房装置。
【発明の詳細な説明】
【技術分野】
【０００１】
本発明は、衣類の位置を検知しその方向に送風させる浴室暖房装置に関するものである。
【背景技術】
【０００２】
従来、この種の浴室暖房装置は、非接触の赤外線センサーを用いて衣類の温度を検知し、その温度情報から衣類の位置を判定し、その方向に送風するように制御していた（例えば、特許文献１参照）。
【先行技術文献】
【特許文献】
【０００３】
【特許文献１】特開２００９−１８３５８９号公報
【発明の概要】
【発明が解決しようとする課題】
【０００４】
このような従来の浴室暖房装置は、
非接触の赤外線センサーを利用して衣類の温度を測定し位置検知を行うものはある。
【０００５】
しかしながら、浴室空間では密閉されているため雰囲気温度が上昇したり、水蒸気が存在しているため正確に衣類温度を検知できなかったり、赤外線センサーは露出しているため曇りや汚れ等で衣類の位置検知を阻害されるという課題がある。
【０００６】
そこで本発明は、衣類に向けて送風した場合に、浴室内の状態に関わらず正確に濡れた衣類の位置を検知することができ、その方向に送風させるように制御する浴室暖房装置を提供することを目的とする。
【課題を解決するための手段】
【０００７】
そして、この目的を達成するために、本発明は、衣類の存在する方向を送風範囲に含むように送風して衣類乾燥を行なうものであって、浴室内の空気を吸い込む吸い込み口と、吸込んだ空気に熱を加える加熱部と、前記加熱部によって加熱した空気を前記浴室内に吹き出す吹出し口と、前記吸い込み口から空気を吸い込んで吹出し口から吹出す循環ファンと、前記吹出し口から吹出される空気の送風方向を制御する風向可変手段と、前記吸い込み口近傍に取り付けられ浴室内の絶対湿度を測定する湿度検知手段と、前記湿度検知手段の測定した絶対湿度に基づいて前記加熱部と循環ファンと風向可変手段の動作をさせる制御部を備え、制御部は、前記湿度検知手段の測定値をもとに前記浴室内の湿度変化を判定する湿度変化判定手段と、前記風向可変手段を動作させ送風方向を変更し、前記湿度変化判定手段が所定の値以上の湿度上昇を判定した場合に、前記風向可変手段によって送風されている方向には濡れた衣類があると判定する衣類位置検知手段と、前記衣類位置検知手段が判定した方向に前記風向可変手段を動作させて送風方向を制御するものであり、これにより所期の目的を達成するものである。
【発明の効果】
【０００８】
本発明によれば、衣類の存在する方向を送風範囲に含むように送風して衣類乾燥を行なうものであって、浴室内の空気を吸い込む吸い込み口と、吸込んだ空気に熱を加える加熱部と、前記加熱部によって加熱した空気を前記浴室内に吹き出す吹出し口と、前記吸い込み口から空気を吸い込んで吹出し口から吹出す循環ファンと、前記吹出し口から吹出される空気の送風方向を制御する風向可変手段と、前記吸い込み口近傍に取り付けられ浴室内の絶対湿度を測定する湿度検知手段と、前記湿度検知手段の測定した絶対湿度に基づいて前記加熱部と循環ファンと風向可変手段の動作をさせる制御部を備え、制御部は、前記湿度検知手段の測定値をもとに前記浴室内の湿度変化を判定する湿度変化判定手段と、前記風向可変手段を動作させ送風方向を変更し、前記湿度変化判定手段が所定の値以上の湿度上昇を判定した場合に、前記風向可変手段によって送風されている方向には濡れた衣類があると判定する衣類位置検知手段と、前記衣類位置検知手段が判定した方向に前記風向可変手段を動作させて送風方向を制御する浴室暖房装置であって、風向可変手段を動作させて送風した場合に、そこに濡れた衣類があると濡れた衣類に風が当たることで水分が浴室内に放出され、その水分を含んだ空気が吸い込み口から吸い込まれることとなり、湿度変化判定手段は、湿度検知手段からの信号により、浴室内の絶対湿度が所定の値の湿度上昇値を越えたことを検知すると、衣類位置検知手段は、前記風向可変手段によって送風されている方向には濡れた衣類があると判定することとなるので、衣類のある方向のみに送風させることができ、効率の良い衣類乾燥のできる浴室暖房機を得ることができる。
【図面の簡単な説明】
【０００９】
【図１】本発明の実施の形態の浴室暖房装置の構成を示す図
【図２】同実施の形態の浴室暖房装置の制御部構成図
【図３】同実施の形態の風向設定手段の構成図
【図４】同実施の形態の動作を示すフローチャート
【発明を実施するための形態】
【００１０】
本発明の請求項１記載の浴室暖房装置は、
衣類の存在する方向を送風範囲に含むように送風して衣類乾燥を行なうものであって、浴室内の空気を吸い込む吸い込み口と、吸込んだ空気に熱を加える加熱部と、前記加熱部によって加熱した空気を前記浴室内に吹き出す吹出し口と、前記吸い込み口から空気を吸い込んで吹出し口から吹出す循環ファンと、前記吹出し口から吹出される空気の送風方向を制御する風向可変手段と、前記吸い込み口近傍に取り付けられ浴室内の絶対湿度を測定する湿度検知手段と、前記湿度検知手段の測定した絶対湿度に基づいて前記加熱部と循環ファンと風向可変手段の動作をさせる制御部を備え、制御部は、前記湿度検知手段の測定値をもとに前記浴室内の湿度変化を判定する湿度変化判定手段と、前記風向可変手段を動作させ送風方向を変更し、前記湿度変化判定手段が所定の値以上の湿度上昇を判定した場合に、前記風向可変手段によって送風されている方向には濡れた衣類があると判定する衣類位置検知手段と、前記衣類位置検知手段が判定した方向に前記風向可変手段を動作させて送風方向を制御する。
【００１１】
これにより、風向可変手段を動作させて送風した場合に、そこに濡れた衣類があると濡れた衣類に風が当たることで水分が浴室内に放出され、その水分を含んだ空気が吸い込み口から吸い込まれることとなり、湿度変化判定手段は、湿度検知手段からの信号により、衣類位置検知手段は、浴室内の絶対湿度が所定の値の湿度上昇値を越えたことを検知すると、その時の風向可変手段送風によって送風されている方向には濡れた衣類があると判定することとなるので、風向可変手段の動作により衣類のある方向のみに送風することができ、効率の良い衣類乾燥のできる浴室暖房機を得ることができる。
【００１２】
また、請求項２記載の浴室暖房装置は、衣類位置検知手段は、風向可変手段の送風方向を少なくとも二方向に設定する風向設定手段と、衣類乾燥運転開始時に前記風向設定手段によって設定された送風方向のすべてに対して風向可変手段を動作させるサーチ動作手段と、前記サーチ動作手段によって動作している送風方向の情報と湿度変化判定手段の結果から濡れた衣類がその送風方向にあるかどうか判定する衣類判定手段と、衣類判定手段によりその送風方向に濡れた衣類があるかどうか判定し、濡れた衣類があると判定された送風方向を記憶する風向記憶手段を備え、前記風向記憶手段によって記憶された送風方向を送風範囲内に含むよう送風範囲を決定する送風範囲設定手段を有し、前記送風範囲設定手段で設定された送風範囲に送風方向を制御させる。
【００１３】
これにより、衣類位置検知手段は、風向設定手段によって風向可変手段の送風方向を少なくとも二方向に設定し、設定された送風方向すべてに送風するようにサーチ動作手段により風向可変手段を動作させ、その時の動作している送風方向の情報と湿度変化判定手段の結果から衣類判定手段によってその送風方向に濡れた衣類があるか判定した場合に、濡れた衣類があると判定された送風方向は、風向記憶手段により記憶され、記憶された送風方向が複数あった場合には、その複数の送風方向すべてを含む範囲に送風するように送風範囲設定手段により風向可変手段を動作させ送風方向を制御することとなるので、どのように衣類が干されていたとしても濡れた衣類がある箇所は漏れなく検知し、送風させることができるので乾燥ムラのない衣類乾燥のできる浴室暖房装置を得ることができる。
【００１４】
以下、本発明の実施の形態について図面を参照しながら説明する。
【００１５】
（実施の形態１）
図１に示すように、本発明の浴室暖房装置は、浴室１の天井に取り付けられている本体２と、浴室内空気を循環させる循環ファン３と、浴室内空気を循環ファン３によって吸い込む吸い込み口４と、吸い込み口４から吸い込まれた浴室空気に熱を加える加熱部５と、加熱部５によって暖められた空気を浴室１に吹き出す吹き出し口６と、吹き出し口６から浴室１に送風する方向を変更する風向可変手段７と、吸い込み口４近傍に取り付けられ、浴室１の絶対湿度を検知する湿度検知手段８を備えている。
【００１６】
前記循環ファン３は、一例としてモータ３ａを用いて、モータ３ａを回転させることによって前記本体２の下面にある吸い込み口４から浴室内空気を取り込んで前記吹き出し口６から空気を送り出すものである。
【００１７】
また、加熱部５は、一例として、ＰＴＣヒータ等を用いて乾燥運転中に循環ファン３によって取り込まれた浴室内空気を暖めるものである。
【００１８】
また、前記風向可変手段７の一例として、本体２の吹き出し口６にステッピングモータ等を用いたルーバー９が設けられている。
【００１９】
また、湿度検知手段８は、濡れた衣類に送風した際に浴室１の絶対湿度の変化を素早く検知するために、本体２の循環ファン３が動作し、吹き出し口６から浴室１に送風され、吸い込み口４から浴室１の空気が吸い込まれる際に、浴室１から吸い込まれた空気の湿度を検知できるように本体２の吸い込み口４近傍に配置されている。
【００２０】
ここで、浴室１内の温度は加熱部５によって暖められた空気が送風されており、温度が徐々に上昇していくことになるので相対湿度は下がる傾向になる。湿度検知手段８に相対湿度を検知するものを用いると、濡れた衣類に送風した場合に湿度変化を正確に検知することができない。
【００２１】
湿度検知手段８には、絶対湿度を検知するものを使用するものである。
【００２２】
さらに、本体２には、湿度検知手段８の測定した絶対湿度に基づいて加熱部５と循環ファン３と風向可変手段７を動作させる制御部１０を備えている。
【００２３】
図２に示すように制御部１０は、湿度検知手段８からの信号をもとに浴室１の絶対湿度の変化を判定する湿度変化判定手段１１を備え、風向可変手段７を動作させて送風した場合に、濡れた衣類に風が当たることで水分が浴室内に放出され、その水分を含んだ空気が吸い込み口４から吸い込まれ、湿度変化判定手段１１が湿度検知手段８からの信号により、浴室１内の絶対湿度が所定の値の湿度上昇値を越えたことを検知した場合に、その送風方向には濡れた衣類があると判定し、また、その送風方向に濡れた衣類がなく所定の値の湿度上昇値を超えていないと検知した場合には、その送風方向には濡れた衣類はないと判定する衣類位置検知手段１２を備えている。
【００２４】
なお、本実施の形態では、湿度変化判定手段１１に所定の値の基準値を備え、この基準値に基づいて、絶対湿度の変化量から濡れた衣類の有、無しを判断するものである。
【００２５】
また、衣類位置検知手段１２は、風向可変手段７の送風方向を少なくとも二方向に設定する風向設定手段１３と、衣類乾燥運転開始時に風向設定手段１３によって設定された送風方向のすべてに対して風向可変手段７を動作させるサーチ動作手段１４と、サーチ動作手段１４によって動作している送風方向の情報と湿度変化判定手段１１の結果から濡れた衣類がその送風方向にあるかどうか判定する衣類判定手段１５と、衣類判定手段１５により濡れた衣類があると判定された送風方向を記憶する風向記憶手段１６を備え、サーチ動作手段１４により風向設定手段１３で設定されたすべての送風方向について衣類判定手段１５において濡れた衣類があるかどうか判定が終了した場合に、風向記憶手段１６によって記憶された送風方向を送風範囲内に含むよう送風範囲を決定する送風範囲設定手段１７を備えている。
【００２６】
そして、衣類位置検知手段１２は、風向記憶手段１６に記憶された複数の送風方向を送風範囲内に含むように風向設定手段１３によって送風方向を設定し風向可変手段７を動作させるものである。
【００２７】
風向設定手段１３は、図３で示すように例えば、風向可変手段７が閉じた状態を０度とし、そこから最大で１１０度風向が変更する場合に、２０〜１１０度を６等分するように風向１３ａ〜風向１３ｆと設定するものである。
【００２８】
サーチ動作手段１４は、風向設定手段１３によって設定された一つの送風方向について時間Ｔの間（例えば１分）、送風させ順次送風方向を変更していくものである。また、その時の送風方向を衣類判定手段１５に伝えるものである。
【００２９】
上記の構成において、サーチ動作手段１４により風向可変手段７を風向設定手段１３によって設定された風向１３ａ〜１３ｆに動作させて送風し、湿度検知手段８からの信号をもとに湿度変化判定手段１１が所定の値以上の湿度上昇値を検知し、衣類位置検知手段１２によって風向可変手段７によって送風されている方向には濡れた衣類があると判定された場合に、濡れた衣類のあると判定された送風方向に風向可変手段７を制御する動作について図４を用いて説明する。
【００３０】
まず、本体２を衣類乾燥運転させると、湿度検知手段８が、浴室内の絶対湿度の検知を開始し、制御部１０は、サーチ動作手段１４によって風向可変手段７を例えば風向設定手段１３で設定された風向１３ａに動作させる。その後に循環ファン３と加熱部５を動作させることで本体２の吸い込み口４から浴室１内の空気を取り込み、吹き出し口６から浴室１に向けて温風を吹き出すこととなる。
【００３１】
そして、湿度検知手段８の信号をもとに湿度変化判定手段１１は、浴室１内の湿度変化の検知を開始する。ここで、風向１３ａの送風方向に送風している時間を時間Ｔ（例えば１分）とすると、湿度変化判定手段１１は、時間Ｔの間、湿度変化を検知することとなる。
【００３２】
一方、風向１３ａの方向に濡れた衣類が干されていた場合、濡れた衣類に風が当たることで衣類から水分が浴室１内に放出され、その水分が浴室１内から吸い込み口４を通じて本体２内に吸い込まれることになる。湿度検知手段８が浴室１内の絶対湿度を検知しているので、湿度変化判定手段１１は、湿度検知手段８からの信号により所定の値以上の湿度上昇値を検知することとなる。
【００３３】
衣類判定手段１５は、サーチ動作手段１４からの情報により風向可変手段７が風向１３ａで動作していると判定し、同時に湿度変化判定手段１１からの情報により所定の値以上の湿度上昇があったと判定するので、風向１３ａには、濡れた衣類があると判定することができる。
【００３４】
他方、風向１３ａの方向に濡れた衣類が干されていない場合は、例えば時間Ｔの間送風したとしても浴室１内の絶対湿度に変化はない。
【００３５】
衣類判定手段１５は、風向１３ａには濡れた衣類はなしと判定することとなる。
【００３６】
そして、衣類判定手段１５によって風向１３ａに濡れた衣類があると判定された場合には、風向１３ａは風向記憶手段１６によって記憶されることとなる。しかし、衣類判定手段１５によって風向１３ａに濡れた衣類がないと判定された場合には、風向１３ａは記憶されないものである。
【００３７】
次に、サーチ動作手段１４は、風向１３ａへ時間Ｔの間送風した後は、風向１３ｂへ風向可変手段７を動作させて送風方向を変更する。送風方向を変更した後は、上記１３ａで行った動作を同様にして、濡れた衣類が風向１３ｂにあるかどうか判定し、風向１３ｂに濡れた衣類はあると判定された場合は、風向記憶手段１６により風向１３ｂを記憶し、濡れた衣類がなかったと判定された場合には風向１３ｂは記憶しない。
【００３８】
さらに、サーチ動作手段１４により同様に風向１３ｃ〜１３ｆについても同様な動作を行うことにより、風向設定手段１３で設定されているすべての風向１３ａ〜１３ｆについて濡れた衣類があるかどうか判定することとなる。このような動作を衣類位置検知サーチ動作とする。
【００３９】
そして、衣類位置検知手段１２は、風向可変手段７が風向１３ｆまで動作し、時間Ｔの送風運転が終了し、風向１３ｆにおいて衣類判定手段１５によって濡れた衣類があるかどうか判定した後、上記の衣類位置検知サーチ動作が終了したと判断する。さらに、風向記憶手段１６によって記憶されている送風方向については濡れた衣類があると判定された送風方向であるので、送風範囲設定手段１７は、その記憶された風向１３ａ〜１３ｂのいずれかの情報から記憶された風向を送風範囲に含むように送風範囲を決定する。衣類位置検知手段１２の風向設定手段１３は、その決定した送風範囲で風向可変手段７を動作させることとなる。ここで、記憶された送風方向が１箇所の場合は、風向設定手段１３は他の風向に設定はしないものとし、記憶された風向が複数ある場合には、記憶された複数の送風方向がすべて含まれるように送風方向を設定し風向可変手段７を動作させることとなる。
【００４０】
つまり、衣類位置検知手段１２は、衣類乾燥運転を行う場合は、まず、上記のような衣類位置検知サーチ動作を行い、濡れた衣類のある送風方向を判定し、その判定された送風方向を送風範囲に含むように風向可変手段７を制御して衣類乾燥運転を行うこととなる。
【００４１】
以上のように、濡れた衣類が浴室１内に干されている場合は、どのように衣類が干されていたとしても濡れた衣類がある箇所は漏れなく検知し、その方向を送風範囲に含むように送風させることができるので乾燥ムラがなく、効率の良い衣類乾燥のできる浴室暖房装置を得ることができる。
【産業上の利用可能性】
【００４２】
本発明は、集合住宅や戸建住宅の浴室に設置され、衣類の位置を検知しその方向に送風させることができる浴室暖房装置に適用できる。
【符号の説明】
【００４３】
１  浴室
２  本体
３  循環ファン
３ａ  モータ
４  吸い込み口
５  加熱部
６  吹き出し口
７  風向可変手段
８  湿度検知手段
９  ルーバー
１０  制御部
１１  湿度変化判定手段
１２  衣類位置検知手段
１３  風向設定手段
１３ａ〜１３ｆ  風向
１４  サーチ動作手段
１５  衣類判定手段
１６  風向記憶手段
１７  送風範囲設定手段
【図１】
2014124202.tif 000003
【図２】
2014124202.tif 000004
【図３】
2014124202.tif 000005
【図４】
2014124202.tif 000006